(57)【要約】【課題】サービス向上に貢献することができる情報処理装置を提供することである。【解決手段】情報処理装置は、検索手段と、通信手段と、出力手段とを備える。前記検索手段は、番組又は番組セルの選択後、検索キーワードに基づき検索処理を実行する。前記通信手段は、前記検索処理の実行に対応して、前記検索キーワードを送信し、前記検索キーワードに基づく検索処理結果を受信し、さらに、選択番組又は選択番組セルに対応する番組情報を送信する。前記出力手段は、前記検索処理結果を出力する。【選択図】図２
2013098718.tif 000002
【特許請求の範囲】
【請求項１】
番組又は番組セルの選択後、検索キーワードに基づき検索処理を実行する検索手段と、
前記検索処理の実行に対応して、前記検索キーワードを送信し、前記検索キーワードに基づく検索処理結果を受信し、さらに、選択番組又は選択番組セルに対応する番組情報を送信する通信手段と、
前記検索処理結果を出力する出力手段と、
を備える情報処理装置。
【請求項２】
前記通信手段は、第１のサーバに対して前記検索キーワードを送信し、第２のサーバに対して前記番組情報を送信する請求項１の情報処理装置。
【請求項３】
前記通信手段は、第３のサーバから番組表データを受信し、
前記出力手段は、前記番組表データに基づく番組表を出力し、
前記検索手段は、前記番組表上の前記番組セルの選択後、前記検索キーワードに基づき前記検索処理を実行し、
前記通信手段は、前記第２のサーバに対して前記番組情報を送信する請求項１又は２の情報処理装置。
【請求項４】
前記出力手段は、検索アイコンを含む前記番組セルにより構成される前記番組表を出力する請求項３の情報処理装置。
【請求項５】
前記出力手段は、前記検索アイコンの選択に対応して、前記検索キーワード入力エリアを出力し、
前記検索手段は、前記検索キーワード入力エリアに入力された前記検索キーワードに基づき前記検索処理を実行する請求項４の情報処理装置。
【請求項６】
前記通信手段は、前記番組情報に基づく集計結果を受信し、
前記出力手段は、前記集計結果を出力する請求項１乃至５の何れか一つの情報処理装置。
【請求項７】
前記通信手段は、前記第２のサーバに対して前記検索キーワードと前記番組情報とを送信する請求項２乃至５の何れか一つの情報処理装置。
【請求項８】
前記通信手段は、前記検索キーワードに基づく集計結果及び前記検索キーワードに対応する前記番組情報を受信し、
前記出力手段は、前記番組情報が対応付けられた前記検索キーワードの集計結果を出力する請求項７の情報処理装置。
【請求項９】
前記通信手段は、前記検索キーワードのランキング及び前記検索キーワードに対応する前記番組情報を受信し、
前記出力手段は、前記番組情報が対応付けられた前記検索キーワードのランキングを出力する請求項７の情報処理装置。
【請求項１０】
番組又は番組セルの選択後、検索キーワードに基づく検索処理の実行に対応して、前記検索キーワードを送信し、前記検索キーワードに基づく検索処理結果を受信し、さらに、選択番組又は選択番組セルに対応する番組情報を送信し、
前記検索処理結果を出力する情報処理方法。
【発明の詳細な説明】
【技術分野】
【０００１】
本発明の実施形態は、情報処理装置及び情報処理方法に関する。
【背景技術】
【０００２】
近年、デジタルＴＶの普及が目覚ましく、デジタルＴＶは、デジタル放送を受信し番組を表示するだけでなく、ＨＴＭＬブラウザを備え、ネットワーク経由で各種情報を受信し表示することもできる。例えば、デジタルＴＶは、ネットワーク経由で、検索急上昇ランキングのキーワードを受信し、番組に関係する文字情報のうち、検索急上昇ランキングのキーワードと一致する一致キーワードを表示することができる。
【先行技術文献】
【特許文献】
【０００３】
【特許文献１】特開２０１１−３５６２８号公報
【発明の概要】
【発明が解決しようとする課題】
【０００４】
上記デジタルＴＶの普及と同様に、近年、携帯型の無線通信端末（情報処理装置）の普及も目覚ましい。携帯型の無線通信端末としては、スマートフォン、タブレット型パーソナルコンピュータ等が挙げられる。
【０００５】
上記無線通信端末は、様々なアプリケーションを利用することができ、例えば、番組表アプリケーションを利用して、ネットワークサーバから番組表データを受信し、番組表を表示することができる。また、上記無線通信端末は、ＴＶコントロール用のアプリケーションを利用して、上記デジタルＴＶと通信し、デジタルＴＶに対して各種指示を送信し、デジタルＴＶをコントロールすることもできる。このように、無線通信端末を利用した様々なサービスが提供されており、今後、さらに、各種サービスの拡充を図ることが検討されている。
【０００６】
本発明が解決しようとする課題は、サービス向上に貢献することができる情報処理装置及び情報処理方法を提供することである。
【課題を解決するための手段】
【０００７】
実施形態の情報処理装置は、検索手段と、通信手段と、出力手段とを備える。前記検索手段は、番組又は番組セルの選択後、検索キーワードに基づき検索処理を実行する。前記通信手段は、前記検索処理の実行に対応して、前記検索キーワードを送信し、前記検索キーワードに基づく検索処理結果を受信し、さらに、選択番組又は選択番組セルに対応する番組情報を送信する。前記出力手段は、前記検索処理結果を出力する。
【図面の簡単な説明】
【０００８】
【図１】本実施形態の情報処理システムの構成の一例を示す図である。
【図２】本実施形態の情報処理システムの動作原理の概念の一例を示す図である。
【図３】本実施形態の携帯端末の画面遷移の一例を示す図である。
【図４】本実施形態の携帯端末の構成、及び携帯端末で操作可能なデジタルテレビジョン放送受信装置の構成の一例を示す図である。
【発明を実施するための形態】
【０００９】
以下、実施形態について図面を参照して説明する。
【００１０】
図１は、本実施形態の情報処理システムの構成の一例を示す図である。図１に示すように、情報処理システムは、携帯端末２００、番組表サーバＳ１、検索サーバＳ２、検索キーワード記録サーバＳ３等により構成される。なお、本実施形態では、複数のサーバが複数の役割を分担するケースについて説明するが、１台のサーバが複数の役割を担うことも可能である。
【００１１】
携帯端末２００は、携帯型の無線通信端末（情報処理装置）であり、例えば、スマートフォン、タブレット型パーソナルコンピュータである。携帯端末２００は、直接又は間接的に、番組表サーバＳ１、検索サーバＳ２、及び検索キーワード記録サーバＳ３と通信可能に構成されている。例えば、携帯端末２００は、無線通信（Ｗｉ−Ｆｉ（登録商標）等の無線ＬＡＮ）及び有線通信を経て、番組表サーバＳ１、検索サーバＳ２、及び検索キーワード記録サーバＳ３と通信可能に構成されている。
【００１２】
図４を参照して後に詳しく説明するが、携帯端末２００は、制御モジュール２０１、記憶モジュール２０２、通信モジュール２０３、表示モジュール２０４、入力モジュール２０５等により構成される。番組表サーバＳ１、検索サーバＳ２、及び検索キーワード記録サーバＳ３は、制御モジュール、記憶モジュール、通信モジュール等により構成される。
【００１３】
図２は、本実施形態の情報処理システムの動作原理の概念の一例を示す図である。図２に示すように、携帯端末２００の記憶モジュール２０２は、番組表表示アプリケーションＡ１を記憶し、携帯端末２００の制御モジュール２０１及び通信モジュール２０３は、番組表表示アプリケーションＡ１の機能により、番組表サーバＳ１に対して番組表を要求し(ＳＴ１０１)、番組表サーバＳ１から番組表データを受信し(ＳＴ１０２)、携帯端末２００の表示モジュール２０４は、番組表データに基づき番組表を出力（表示）する。
【００１４】
番組表は、放送番組等を表示するものであり、例えば、現在時刻を含む現在時間帯又は指定時間帯における指定されたチャンネルの１又は複数の番組を一覧表示するものである。或いは、番組表は、現在時間帯又は指定時間帯における指定された複数チャンネルの１又は複数の番組を一覧表示するものである（図３参照）。或いは、番組表は、時間軸とチャンネル軸に沿って複数のチャンネルに対応する複数の番組を一覧表示するものである。例えば、上記番組表は、１又は複数の番組セルにより構成され、１番組セルは１番組に対応する。
【００１５】
例えば、図３に示すように、番組表ＰＧは、現在時間帯における複数チャンネルに対応する複数番組を一覧表示し、番組セルＣ１、Ｃ２、Ｃ３、Ｃ４により構成される。
【００１６】
また、携帯端末２００の制御モジュール２０１及び通信モジュール２０３は、番組表表示アプリケーションＡ１の機能により、検索処理を実行する。つまり、携帯端末２００の制御モジュール２０１及び通信モジュール２０３は、番組表表示アプリケーションＡ１の機能により、検索サーバＳ２に対して検索キーワードを送信し(ＳＴ１０３)、検索サーバＳ２から検索結果を受信し(ＳＴ１０４)、携帯端末２００の表示モジュール２０４は、検索結果を出力（表示）することができる。
【００１７】
例えば、図３に示す番組表ＰＧは、上記したように、番組セルＣ１、Ｃ２、Ｃ３、Ｃ４を備える。番組セルＣ１は、番組名Ｃ１１、放送局名Ｃ１２、操作アイコン（検索アイコン）Ｃ１３を含む。番組セルＣ２は、番組名Ｃ２１、放送局名Ｃ２２、操作アイコン（検索アイコン）Ｃ２３を含む。番組セルＣ３は、番組名Ｃ３１、放送局名Ｃ３２、操作アイコン（検索アイコン）Ｃ３３を含む。番組セルＣ４は、番組名Ｃ４１、放送局名Ｃ４２、操作アイコン（検索アイコン）Ｃ４３を含む。
【００１８】
例えば、ユーザによる画面へのタッチ等の選択操作により、番組セルＣ４の操作アイコンＣ４３が選択されると、携帯端末２００の入力モジュール２０５は、操作アイコンＣ４３の選択を検出し、携帯端末２００の表示モジュール２０４は、操作アイコンＣ４３の選択検出に対応して、図３に示すように検索キーワード入力画面Ｗ１を出力（表示）する。
【００１９】
さらに、ユーザによる検索キーワード入力画面Ｗ１の検索キーワード入力エリアＷ１１に対する検索キーワードＫＷの入力操作に対応して、携帯端末２００の入力モジュール２０５は、検索キーワード入力エリアＷ１１に対して、検索キーワードＫＷを入力する。さらに、ユーザによる検索キーワード入力画面Ｗ１中の検索実行アイコンＷ１２の選択操作に対応して、携帯端末２００の入力モジュール２０５は、検索処理実行を入力する。検索処理実行に対応して、携帯端末２００の制御モジュール２０１及び通信モジュール２０３は、検索サーバＳ２に対して検索キーワードＫＷを送信し(ＳＴ１０３)、検索サーバＳ２から検索結果を受信し(ＳＴ１０４)、携帯端末２００の表示モジュール２０４は、検索結果画面Ｗ２を出力（表示）する。
【００２０】
さらに、検索処理実行に対応して、携帯端末２００の制御モジュール２０１及び通信モジュール２０３は、検索キーワード記録サーバＳ３に対して、上記選択された番組セルＣ４に対応する番組情報（例えば番組セルＣ４に含まれた番組名Ｃ４１）を送信する。検索キーワード記録サーバＳ３に対する番組情報の送信処理は、ユーザに分かるように実行してもよいし、ユーザに分からないように実行してもよい。
【００２１】
或いは、検索処理実行に対応して、携帯端末２００の制御モジュール２０１及び通信モジュール２０３は、検索キーワード記録サーバＳ３に対して、検索キーワードＫＷと、上記選択された番組セルＣ４に対応する番組情報（例えば番組セルＣ４に含まれた番組名Ｃ４１）とを送信する(ＳＴ１０５)。なお、制御モジュール２０１及び通信モジュール２０３は、検索キーワード記録サーバＳ３に対して、検索キーワードＫＷと、番組情報（番組名Ｃ４１）とを関連付けて送信する。また、検索キーワード記録サーバＳ３に対する検索キーワードＫＷと番組情報（番組名Ｃ４１）との送信処理は、ユーザに分かるように実行してもよいし、ユーザに分からないように実行してもよい。
【００２２】
或いは、検索処理実行に対応して、携帯端末２００の制御モジュール２０１及び通信モジュール２０３は、検索キーワード記録サーバＳ３に対して、検索キーワードＫＷと、上記選択された番組セルＣ４に対応する番組情報（例えば番組セルＣ４に含まれた番組名Ｃ４１と放送局名名Ｃ４２）とを送信する。なお、制御モジュール２０１及び通信モジュール２０３は、検索キーワード記録サーバＳ３に対して、検索キーワードＫＷと、番組情報（番組名Ｃ４１と放送局名Ｃ４２）とを関連付けて送信する。また、検索キーワード記録サーバＳ３に対する検索キーワードＫＷと番組情報（番組名Ｃ４１と放送局名Ｃ４２）との送信処理は、ユーザに分かるように実行してもよいし、ユーザに分からないように実行してもよい。
【００２３】
なお、ＳＴ１０３の送信処理と、ＳＴ１０５の送信処理とを実行してから、ＳＴ１０４の検索結果の受信処理を実行してもよいし、ＳＴ１０３の送信処理とＳＴ１０４の検索結果の受信処理を実行してから、ＳＴ１０５の送信処理を実行してもよい。
【００２４】
以上により、例えば、検索サーバＳ２は、多数のユーザが使用する多数の携帯端末２００から送信される検索キーワードを蓄積することができ、蓄積された検索キーワードに基づき各種の集計結果を得ることができる。例えば、検索サーバＳ２は、蓄積された検索キーワードに基づき、検索ランキングデータを生成することができる。なお、検索サーバＳ２は、携帯端末２００以外の端末から送信される検索キーワードを蓄積することもでき、様々な端末から送信される検索キーワードに基づき各種の集計結果を得ることができる。
【００２５】
また、例えば、検索キーワード記録サーバＳ３は、多数のユーザが使用する多数の携帯端末２００から送信される番組情報を蓄積し、蓄積した番組情報に基づき各種の集計結果を生成し、生成した集計結果を提供することができる。つまり、本実施形態のシステムによれば、携帯端末２００の操作（検索キーワードの入力等の検索操作）に対応して得られた情報（番組情報）に基づき各種の集計結果（注目番組ランキング、番組視聴率ランキングなど）を生成し、新たなサービスとして集計結果を提供することができる。例えば、ユーザは、番組情報を提供することを意識していないのに、携帯端末２００は、検索処理の実行に対応して番組情報を提供する。つまり、本実施形態のシステムによれば、ユーザに負担をかけることなく、携帯端末２００の操作に応じた情報を収集することができ、収集した情報に応じたサービスの提供が可能となる。
【００２６】
或いは、検索キーワード記録サーバＳ３は、多数のユーザが使用する多数の携帯端末２００から送信される検索キーワードと、検索キーワードに対応する番組情報（番組名Ｃ４１等）とを蓄積し、蓄積した検索キーワードと検索キーワードに対応する番組情報とに基づき各種の集計結果を生成し、生成した集計結果を提供することができる。つまり、本実施形態のシステムによれば、携帯端末２００の操作に対応して得られた情報（検索キーワードと検索キーワードに対応する番組情報）に基づき各種の集計結果を生成し、新たなサービスとして集計結果を提供することができる。
【００２７】
例えば、次のようにして、新たなサービスとして集計結果を提供することができる。図２に示すように、携帯端末２００の記憶モジュール２０２は、検索ランキング表示アプリケーションＡ２を記憶し、携帯端末２００の制御モジュール２０１及び通信モジュール２０３は、検索ランキング表示アプリケーションＡ２の機能により、検索ランキング出力処理を実行する。つまり、制御モジュール２０１及び通信モジュール２０３は、検索ランキング表示アプリケーションＡ２の機能により、検索サーバＳ２に対して検索ランキングを要求し(ＳＴ１０６)、検索サーバＳ２から検索ランキングデータを受信する(ＳＴ１０７)。さらに、携帯端末２００の制御モジュール２０１及び通信モジュール２０３は、検索ランキング表示アプリケーションＡ２の機能により、検索キーワード記録サーバＳ３に対して、受信した検索ランキングデータを送信する(ＳＴ１０８)。
【００２８】
検索キーワード記録サーバＳ３は、携帯端末２００から検索ランキングデータを受信し(ＳＴ１０８)、携帯端末２００に対して検索ランキングデータに対応する番組名を送信する(ＳＴ１０９)。上記説明したように、検索キーワード記録サーバＳ３は、検索キーワードと検索キーワードに対応する番組名とを関連付けて蓄積しており、この蓄積データに基づき、携帯端末２００に対して検索ランキングデータ（検索キーワードデータ）に対応する番組名を返信することができる。
【００２９】
制御モジュール２０１及び通信モジュール２０３は、検索ランキング表示アプリケーションＡ２の機能により、検索ランキングデータ（検索キーワードデータ）に対応する番組名を受信し(ＳＴ１０９)、表示モジュール２０４は、番組名が対応付けられた検索キーワードの検索ランキングを出力（表示）する。例えば、表示モジュール２０４は、図３に示すように、検索ランキング画面Ｗ３を出力（表示）する。
【００３０】
図３に示すように、検索ランキング画面Ｗ３は、検索キーワードのランキングを表示し、しかも各検索キーワードに対応付けて番組名を表示する。これにより、ユーザは、検索キーワードのランキングと共に検索キーワードの出典元（検索キーワードに関連する番組名）を知ることができる。さらに、ユーザによる画面へのタッチ等の選択操作により、検索キーワードに対応付けられた番組名が選択されると、携帯端末２００の通信モジュール２０３は、無線通信等を利用して、直接又は間接的に、図４に示すデジタルテレビジョン放送受信装置１００に対して、選択された番組名の番組の録画予約を指示したり、選択された番組名の番組の視聴を指示したりする。例えば、選択された番組名の番組が放送中の番組であれば、デジタルテレビジョン放送受信装置１００は、携帯端末２００からの視聴指示を受信し、選択された番組名の番組を再生し、選択された番組名の番組が録画済みの番組或いは録画中の番組であれば、録画済み又は録画中の番組を再生する。ユーザは、番組の映像を見ることで、検索キーワードが検索ランキングに登場したこと、或いは検索キーワードのランキングが上昇したことなどを知ることができる。
【００３１】
なお、検索キーワード記録サーバＳ３が、検索キーワードＫＷと、番組情報（番組名Ｃ４１と放送局名Ｃ４２）とを受信し蓄積している場合には、例えば、携帯端末２００の表示モジュール２０４は、図３に示すように、検索キーワードのランキングを表示し、しかも各検索キーワードに対応付けて番組名と放送局名とを表示する。
【００３２】
また、上記説明では、番組表上の番組セルの選択に対応したサービスの提供（検索ランキングの提供）について説明したが、番組の選択に対応して上記サービスを提供することもできる。例えば、携帯端末２００をデジタルテレビジョン放送受信装置１００のリモートコントローラとして利用する場合を想定する。この場合、携帯端末２００の通信モジュール２０３は、Ｗｉ−Ｆｉ、Ｂｌｕｅｔｏｏｔｈ（登録商標）等の無線通信又は赤外線通信を利用して、デジタルテレビジョン放送受信装置１００に対して、各種指示を送信する。
【００３３】
例えば、携帯端末２００に表示された番組表上の番組セルが選択されると、携帯端末２００の制御モジュール２０１及び通信モジュール２０３は、デジタルテレビジョン放送受信装置１００に対して、選択された番組セルに対応する番組の選択指示を送信する。デジタルテレビジョン放送受信装置１００は、この選択指示を受信し、選択された番組セルに対応する番組（チャンネル）を選択し、再生（表示）する。
【００３４】
さらに、ユーザが、携帯端末２００を介してチャンネル変更（チャンネル番号）を入力すると、携帯端末２００の制御モジュール２０１及び通信モジュール２０３は、デジタルテレビジョン放送受信装置１００に対して、チャンネル変更指示を送信する。デジタルテレビジョン放送受信装置１００は、このチャンネル変更指示を受信し、チャンネルを変更し、変更したチャンネルの番組を再生（表示）する。
【００３５】
このとき、ユーザが、携帯端末２００に対して検索指示を入力すると、例えば、携帯端末２００の表示モジュール２０４は、図３に示すように検索キーワード入力画面Ｗ１を出力（表示）する。ユーザによる検索キーワード入力画面Ｗ１の検索キーワード入力エリアＷ１１に対する検索キーワードＫＷの入力操作に対応して、携帯端末２００の入力モジュール２０５は、検索キーワード入力エリアＷ１１に対して、検索キーワードＫＷを入力する。さらに、ユーザによる検索キーワード入力画面Ｗ１中の検索実行アイコンＷ１２の選択操作に対応して、携帯端末２００の入力モジュール２０５は、検索処理実行を入力する。検索処理実行に対応して、携帯端末２００の制御モジュール２０１及び通信モジュール２０３は、検索サーバＳ２に対して検索キーワードＫＷを送信し、検索サーバＳ２から検索結果を受信し、携帯端末２００の表示モジュール２０４は、検索結果画面Ｗ２を出力（表示）する。
【００３６】
さらに、検索処理実行に対応して、携帯端末２００の制御モジュール２０１及び通信モジュール２０３は、検索キーワード記録サーバＳ３に対して、検索キーワードＫＷを送信する。或いは、携帯端末２００は、上記した検索実行アイコンＷ１２の選択に対応して、検索キーワード記録サーバＳ３に対して、検索キーワードＫＷと、上記再生中（選択中）の番組に対応する番組情報（例えば番組名）とを送信する。なお、携帯端末２００は、検索キーワード記録サーバＳ３に対して、検索キーワードＫＷと番組情報（番組名）とを関連付けて送信する。
【００３７】
以下、本実施形態についてまとめる。
【００３８】
（１）携帯端末２００は、現在番組表を表示するアプリケーションの機能を利用して、番組又は番組セルの選択後、ユーザが気になった言葉やキーワードを検索するために、検索ボタン（検索アイコン）の押下を受け付ける。
【００３９】
（２）携帯端末２００は、検索ボタンの押下を受け付け、検索サーバＳ２に対して検索キーワード等を送信し、検索サーバＳ２からの検索結果を受信し、検索結果を表示する。さらに、携帯端末２００は、検索キーワード記録サーバ３に対して、少なくとも選択番組又は選択番組セルに対応した番組名を送信する。例えば、携帯端末２００は、検索キーワード記録サーバ３に対して、検索キーワードと、選択番組又は選択番組セルに対応した番組名とを対応付けて送信する。
【００４０】
（３）検索キーワード記録サーバ３は、携帯端末２００から送信される番組名を蓄積し、データベースを作成する。例えば、検索キーワード記録サーバ３は、携帯端末２００から送信される検索キーワードと番組名とを対応付けたデータベースを作成する。
【００４１】
（４）携帯端末２００は、検索ランキング表示アプリケーションの機能を利用して、検索ランキングを表示する際に、検索キーワード記録サーバ３により作成されたデータベースを受信しこのデータベースを参照し、検索キーワードの検索ランキングを出力（表示）するとともに、データベース上に存在する検索キーワードに対応付けて出典元として番組名を出力（表示）する。
【００４２】
次に、図４を参照し、携帯端末２００及びデジタルテレビジョン放送受信装置１００の構成の一例について説明する。
【００４３】
図４に示すように、携帯端末２００は、制御モジュール２０１、記憶モジュール２０２、通信モジュール２０３、表示モジュール２０４、入力モジュール２０５等を備えている。
【００４４】
制御モジュール２０１は、記憶モジュール２０２に記憶された様々なアプリケーションの実行を制御し、様々な機能を実現する。例えば、制御モジュール２０１は、番組表表示アプリケーションＡ１の実行を制御し、番組表サーバＳ１から送信される番組表データに基づき番組表の出力（表示）を制御する。また、制御モジュール２０１は、検索ランキング表示アプリケーションＡ２の実行を制御し、検索サーバＳ２から送信される検索ランキングデータ、及び検索キーワード記録サーバＳ３から送信される検索ランキングデータに対応する番組名に基づき、番組名が対応付けられた検索キーワードの検索ランキングの出力（表示）を制御する。
【００４５】
通信モジュール２０３は、各種の無線通信により直接又は間接的に各種サーバと通信し、また、各種の無線通信により直接又は間接的にデジタルテレビジョン放送受信装置１００と通信する。通信モジュール２０３は、例えば、無線ルータを介して番組表サーバＳ１、検索サーバＳ２、及び検索キーワード記録サーバＳ３等へアクセスし、これらサーバに対してデータを送信し、これらサーバからデータを受信する。また、通信モジュール２０３は、例えば、無線ルータを介してデジタルテレビジョン放送受信装置１００に対して、番組選択指示を送信し、また、番組録画予約指示を送信する。或いは、通信モジュール２０３は、赤外線通信により、デジタルテレビジョン放送受信装置１００に対して、番組選択指示を送信し、また、番組録画予約指示を送信する。
【００４６】
表示モジュール２０４は、上記した番組表、検索キーワード入力画面Ｗ１、検索結果画面Ｗ２、及び検索ランキング画面Ｗ３を表示する。
【００４７】
入力モジュール２０５は、タッチ等の選択操作を受け付ける。例えば、入力モジュール２０５は、画面（表示モジュール２０４）へのタッチ等の選択操作を検出し、選択操作を制御モジュール２０１へ通知する。
【００４８】
続いて、デジタルテレビジョン放送受信装置１００の構成について説明する。本実施形態では、映像表示部１４を備えたデジタルテレビジョン放送受信装置１００について説明するが、デジタルテレビジョン放送受信装置１００にとって映像表示部１４は必須構成ではない。例えば、デジタルテレビジョン放送受信装置１００がデジタルレコーダの場合には、デジタルテレビジョン放送受信装置１００は映像表示部１４を備えず、ＨＤＭＩケーブル等を介して、外部の映像表示部に対して表示情報を出力する。
【００４９】
図４を参照して、デジタルテレビジョン放送受信装置１００について説明する。図４に示すように、ＢＳ／ＣＳデジタル放送受信用のアンテナ４７で受信した衛星デジタルテレビジョン放送信号は、入力端子４８を介して衛星デジタル放送用のチューナ４９に供給され、チューナ４９は、指定されたチャンネルの放送信号を選択する。
【００５０】
そして、このチューナ４９で選択された放送信号は、ＰＳＫ（phase shift keying）復調モジュール５０に供給されて、デジタルの映像信号及び音声信号に復調された後、信号処理モジュール５１に出力される。
【００５１】
また、地上波放送受信用のアンテナ５２で受信した地上デジタルテレビジョン放送信号は、入力端子５３を介して地上デジタル放送用のチューナ５４に供給され、チューナ５４は、指定されたチャンネルの放送信号を選択する。
【００５２】
そして、このチューナ５４で選択された放送信号は、ＯＦＤＭ（orthogonal frequency division multiplexing）復調モジュール５５に供給されて、デジタルの映像信号及び音声信号に復調された後、上記信号処理モジュール５１に出力される。
【００５３】
ここで、上記信号処理モジュール５１は、ＰＳＫ復調モジュール５０及びＯＦＤＭ復調モジュール５５からそれぞれ供給されたデジタルの映像信号及び音声信号に対して、選択的に所定のデジタル信号処理を施し、グラフィック処理モジュール５８及び音声処理モジュール５９に出力している。
【００５４】
また、上記信号処理モジュール５１には、複数（図示の場合は４つ）の入力端子６０ａ，６０ｂ，６０ｃ，６０ｄが接続されている。これら入力端子６０ａ〜６０ｄは、それぞれ、アナログの映像信号及び音声信号を、デジタルテレビジョン放送受信装置１００の外部から入力可能とするものである。
【００５５】
そして、この信号処理モジュール５１は、各入力端子６０ａ〜６０ｄから供給されたアナログの映像信号及び音声信号を選択的にデジタル化し、そのデジタル化された映像信号及び音声信号に対して所定のデジタル信号処理を施した後、グラフィック処理モジュール５８及び音声処理モジュール５９に出力している。
【００５６】
このうち、グラフィック処理モジュール５８は、信号処理モジュール５１から供給されるデジタルの映像信号に、ＯＳＤ（on screen display）信号生成モジュール６１で生成されるＯＳＤ信号を重畳して出力する機能を有する。このグラフィック処理モジュール５８は、信号処理モジュール５１の出力映像信号と、ＯＳＤ信号生成モジュール６１の出力ＯＳＤ信号とを選択的に出力すること、また、両出力を組み合わせて出力することができる。
【００５７】
そして、グラフィック処理モジュール５８から出力されたデジタルの映像信号は、映像処理モジュール６２に供給される。映像処理モジュール６２により処理された映像信号は、映像表示部１４に供給され、また出力端子６３にも供給される。映像表示部１４は、映像信号に基づく映像を表示し、出力端子６３に対して外部機器が接続されると、出力端子６３に供給された映像信号は、外部機器へ入力される。
【００５８】
また、上記音声処理モジュール５９は、入力されたデジタルの音声信号を、前記スピーカ１５で再生可能なアナログ音声信号に変換した後、スピーカ１５に出力して音声出力させるとともに、出力端子６４を介して外部に導出させる。
【００５９】
なお、デジタルテレビジョン放送受像装置１００の制御モジュール６５が、上記した信号処理等を含む全ての処理及び動作を統括的に制御する。制御モジュール６５は、ＣＰＵ（central processing unit）等により構成されている。制御モジュール６５は、操作部１６からの操作情報、前記リモートコントローラ１７から送出され受光部１８を介して受信した操作情報、或いは携帯端末２００の通信モジュール２０３から送出され受光部１８を介して受信した操作情報に基づき、操作内容が反映されるように各モジュールをそれぞれ制御している。
【００６０】
この場合、制御モジュール６５は、主として、ＣＰＵが実行する制御プログラムを格納したＲＯＭ（read only memory）６６と、ＣＰＵに作業エリアを提供するＲＡＭ（random access memory）６７と、各種の設定情報及び制御情報等が格納される不揮発性メモリ６８とを利用している。
【００６１】
また、この制御モジュール６５は、カードＩ／Ｆ（interface）６９を介して、メモリカード１９が装着可能なカードホルダ７０に接続されている。これによって、制御モジュール６５は、カードホルダ７０に装着されたメモリカード１９と、カードＩ／Ｆ６９を介して情報伝送を行なうことができる。
【００６２】
また、上記制御モジュール６５は、通信Ｉ／Ｆ７３を介してＬＡＮ端子２１と接続されている。これにより、制御モジュール６５は、ＬＡＮ端子２１に接続されたＬＡＮケーブル、及び通信Ｉ／Ｆ７３を介して情報を送受信することができる。例えば、制御モジュール６５は、ＬＡＮケーブル及び通信Ｉ／Ｆ７３を介して、サーバから送信されるデータを受信することができる。
【００６３】
例えば、ＬＡＮケーブルの一端を通信Ｉ／Ｆ７３に接続し、ＬＡＮケーブルの他端を無線ルータに接続することにより、無線ルータを介して（無線ＬＡＮを介して）、携帯端末２００からの指示やデータを受信することができる。制御モジュール６５は、携帯端末２００からの番組選択指示に基づき、番組を選択し再生する。また、制御モジュール６５は、携帯端末２００からの番組録画予約指示に基づき、録画予約リスト中に番組録画予約指示に対応する録画予約情報を設定する。このようにして、無線ＬＡＮ経由で、携帯端末２００をデジタルテレビジョン放送受信装置１００のリモートコントローラとして使用することもできる。
【００６４】
さらに、上記制御モジュール６５は、ＨＤＭＩ Ｉ／Ｆ７４を介してＨＤＭＩ端子２２と接続されている。これにより、制御モジュール６５は、ＨＤＭＩ端子２２に接続されたＨＤＭＩ対応機器と、ＨＤＭＩ Ｉ／Ｆ７４を介して情報伝送を行なうことができる。
【００６５】
さらに、上記制御モジュール６５は、ＵＳＢ Ｉ／Ｆ７６を介してＵＳＢ端子２４と接続されている。これにより、制御モジュール６５は、ＵＳＢ端子２４に接続されたＵＳＢ対応機器（デジタルカメラ、デジタルビデオカメラなど）と、ＵＳＢ Ｉ／Ｆ７６を介して情報伝送を行なうことができる。
【００６６】
さらに、上記制御モジュール６５は、不揮発性メモリ６８に記憶された録画予約リストに含まれた録画予約情報を参照し、受信信号に基づく番組の録画動作を制御する。録画先としては、例えば内蔵ＨＤＤ１０１、ＵＳＢ端子２４を介して接続された外付けＨＤＤ、ＨＤＭＩ端子を介して接続されたレコーダがある。
【００６７】
さらに、上記制御モジュール６５は、明るさセンサー７１からの明るさ検出レベルに基づき、映像表示部１４のバックライトの明るさを制御する。また、上記制御モジュール６５は、カメラ７２からの動画情報に基づき、映像表示部１４の対向位置のユーザ有無を判定し、映像表示部１４の映像をオン／オフ制御する。
【００６８】
さらに、上記制御モジュール６５は、番組表出力制御モジュール１０３を備える。番組表出力制御モジュール１０３は、番組表の出力を制御する。
【００６９】
なお、上記したモジュールとは、ハードウェアで実現するものであっても良いし、ＣＰＵ等を使ってソフトウェアで実現するものであってもよい。
【００７０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００７１】
１００…デジタルテレビジョン放送受信装置、２００…携帯端末、２０１…制御モジュール、２０２…記憶モジュール、２０３…通信モジュール、２０４…表示モジュール、２０５…入力モジュール
【図１】
2013098718.tif 000003
【図２】
2013098718.tif 000004
【図３】
2013098718.tif 000005
【図４】
2013098718.tif 000006